【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
圧迫衣類を着用および脱衣するための装置であって、前記装置が、
第１のスリーブ開口部、第２のスリーブ開口部、内面、および外面を有する構成のスリーブを具備し、
前記第１のスリーブ開口部、前記内面、および前記第２のスリーブ開口部が協働して肢体のための前記スリーブを通る通路を画定し、
前記内面および前記外面が、連続する可撓性材料から形成されそれによって画定され、
前記圧迫衣類のうちの前記少なくとも１つの開口部の反対側の端部が前記第１のスリーブ開口部に接するまで、前記スリーブを通して前記圧迫衣類を連続して外転できるように、前記外面のうちの前記第２のスリーブ開口部が前記圧迫衣類の少なくとも１つの開口部と接触するように構成され、
前記装置が、前記圧迫衣類を受容するように構成されたポールをさらに具備する、装置。
【請求項２】
前記ポールから離れるように前記スリーブを外転させる力を与えるように構成されたストラップをさらに具備する、請求項１に記載の装置。
【請求項３】
圧迫衣類を着用および脱衣するための装置であって、前記装置が、
第１のスリーブ開口部、第２のスリーブ開口部、内面、および外面を有する構成のスリーブを具備し、
前記第１のスリーブ開口部、前記内面、および前記第２のスリーブ開口部が協働して肢体のための前記スリーブを通る通路を画定し、
前記内面および前記外面が、連続する可撓性材料から形成されそれによって画定され、
前記圧迫衣類のうちの前記少なくとも１つの開口部の反対側の端部が前記第１のスリーブ開口部に接するまで、前記スリーブを通して前記圧迫衣類を連続して外転できるように、前記外面のうちの前記第２のスリーブ開口部が前記圧迫衣類の少なくとも１つの開口部と接触するように構成され、
前記スリーブが、粉体、パラフィン・ゼリー、またはガラス・ビーズのうちの少なくとも１つで充填される、装置。
【請求項４】
前記ポールが、圧迫衣類よりも長い長さだけ延在し、前記ストラップがポールの長さの少なくとも２倍である、請求項２に記載の装置。
【請求項５】
圧迫衣類を着用および脱衣するための装置であって、前記装置が、
第１のスリーブ開口部、第２のスリーブ開口部、内面、および外面を有する構成のスリーブを具備し、
前記第１のスリーブ開口部、前記内面、および前記第２のスリーブ開口部が協働して肢体のための前記スリーブを通る通路を画定し、
前記内面および前記外面が、連続する可撓性材料から形成されそれによって画定され、
前記圧迫衣類のうちの前記少なくとも１つの開口部の反対側の端部が前記第１のスリーブ開口部に接するまで、前記スリーブを通して前記圧迫衣類を連続して外転できるように、前記外面のうちの前記第２のスリーブ開口部が前記圧迫衣類の少なくとも１つの開口部と接触するように構成され、
前記スリーブが、前記内面および前記外面から延在する複数の隆起ラインを有する構成になっている、装置。
【請求項６】
スリーブと圧迫衣類とを結合させる方法であって、前記方法が、
ポールを覆うように圧迫衣類を配置することと
前記圧迫衣類が前記スリーブと前記ポールとの間に配置されるように、前記ポールに沿って第１の方向にスリーブを外転させることと、
前記圧迫衣類の端部を前記スリーブ内に折り込ことと、
前記圧迫衣類が前記スリーブの周りに巻き付くように、前記スリーブを前記ポールに沿って前記第１の方向の反対側の第２の方向に外転させることと、
前記スリーブが流体で充填されることと
を含む、方法。
【請求項７】
前記スリーブを前記ポールに沿って前記第２の方向に外転させることが、前記圧迫衣類と前記ポールとの間に配設されたストラップによって実現される、請求項６に記載の方法。
【請求項８】
圧迫衣類を着用する方法であって、前記方法が、
第１のスリーブ開口部、第２のスリーブ開口部、内面、および外面を有するスリーブを用意することであって、前記第１のスリーブ開口部、前記内面、および前記第２のスリーブ開口部が協働して肢体のための前記スリーブを通る通路を画定し、前記内面および前記外面が、連続する可撓性材料から形成されることと、
少なくとも１つの開口部をその一端部に有する圧迫衣類を用意することと、
ある面から延在するポールを用意することと、
前記圧迫衣類が前記ポールを覆うように完全に延在するまで前記ポールを覆って前記少なくとも１つの開口部を摺動させることと、
前記ポールのうちの前記面の反対側の部分に第２のスリーブ開口部を配置することと、
前記ポールを覆うように前記スリーブをスライドさせ、それにより、前記内面が前記第２の開口部において前記外面になり前記外面が前記第１の開口部において前記内面になるように、前記連続する可撓性材料を外転させることと、
前記スリーブが前記少なくとも１つの開口部に到達するときに、前記少なくとも１つの開口部を引っ張って、前記第２のスリーブ開口部において前記外面に接触させることと、
前記面から離れる方に前記スリーブを持ち上げ、それにより、前記内面が前記第１の開口部において前記外面になり前記外面が前記第２の開口部において前記内面になるように、前記連続する可撓性材料を外転させ、前記圧迫衣類が前記ポールから完全に除去されるまで前記持ち上がるステップが継続し、前記圧迫衣類のうちの前記少なくとも１つの開口部の反対側の端部が前記第１の開口部に接することと、
前記第１のスリーブ開口部を患者の肢体を覆うように配置することと、
前記スリーブを前記患者の肢体に沿って上に転がし、それにより前記内面および前記外面を外転させ、それにより前記圧迫衣類を前記肢体に残すことと、
前記少なくとも１つの開口部を前記第２のスリーブ開口部から外すことと、
前記肢体から除去されるまで前記スリーブを前記肢体に沿って下向きに元通りに転がすことと
を含む、方法。
【請求項９】
前記スリーブが、前記内面および前記外面から外側に延在する、長手方向に連続しかつ平行な隆起ラインを複数具備する、請求項８に記載の方法。
【請求項１０】
前記スリーブが前記スリーブ内に流体を含む、請求項８に記載の方法。
【請求項１１】
前記流体が、水、水溶液、油、空気、フォーム、ウレタン、シリコン、石鹸、または潤滑剤のうちの少なくとも１つである、請求項１０に記載の方法。
【請求項１２】
前記ポールから離れるように前記圧迫衣類を外転させるときに、前記少なくとも１つの開口部を前記第１のスリーブ開口部中に折り込むことをさらに含む、請求項８に記載の方法。
【請求項１３】
ストラップを前記ポールのうちの前記面の反対側に配置することであって、前記ストラップが、前記圧迫衣類が前記ポールに配置された後で前記ストラップの両端が前記少なくとも１つの開口部から延在するのに十分に長いことと、
前記ストラップの端部を把持し、前記ポールから除去されるまで前記圧迫衣類を外転させるように力を加えることと
をさらに含む、請求項８に記載の方法。
【請求項１４】
前記ストラップが留め具によって前記ポールに結合される、請求項１３に記載の方法。
【請求項１５】
圧迫衣類を着用および脱衣するための装置であって、前記装置が、
トロイド形として完全に形成される連続する可撓性材料を含むスリーブを具備し、
前記トロイド形が、前記圧迫衣類が前記トロイド形の上に連続して外転させることができるように、前記トロイド形が、前記圧迫衣類の少なくとも１つの開口部と接触するように構成され、
前記スリーブが、摩擦を低下させるために、パラシリコン・コーティング、フルオロポリマー・コーティング、またはポリマー・コーティングのうちの少なくとも１つによってコートされる、装置。
【請求項１６】
前記スリーブが、粉体、パラフィン・ゼリー、またはガラス・ビーズのうちの少なくとも１つで充填される、請求項１５に記載の装置。
【請求項１７】
前記スリーブが、液体を含む、請求項１５に記載の装置。
【請求項１８】
圧迫衣類を着用および脱衣するための装置であって、前記装置が、
トロイド形を有し、連続する可撓性材料から形成されるスリーブと
を具備し、
前記トロイドが、前記圧迫衣類が前記スリーブ状に連続して外転させることができるように、前記圧迫衣類の少なくとも１つの開口部と接触するように構成され、
前記スリーブが、摩擦を低下させるために、パラシリコン・コーティング、フルオロポリマー・コーティング、またはポリマー・コーティングのうちの少なくとも１つによってコートされる、装置。
【請求項１９】
前記スリーブが、粉体、パラフィン・ゼリー、およびガラス・ビーズのうちの１つを含む、請求項１８に記載の装置。
【請求項２０】
前記スリーブが、液体を含む、請求項１８に記載の装置。